(57)【特許請求の範囲】
【請求項１】
撮像手段により撮像される被写体の撮像画像の記録と再生とを行い、前記被写体の撮像画像が、表示手段に表示される撮像装置において、
スケジュール入力モードで、時間情報及びタイトルとしての使用の可否情報が含まれている識別情報とメッセージ情報からなるスケジュール情報が入力される情報入力手段と、
該情報入力手段により入力されるスケジュール情報が格納される情報格納手段と、
タイトル作成モードで、前記情報格納手段から、前記識別情報に含まれている時間情報及びタイトルとしての使用の可否情報に基づき、前記撮像画像のタイトルとなるメッセージ情報を検索するタイトル検索手段と、
該タイトル検索手段が検索したメッセージ情報を、前記撮像画像とともに前記表示手段に表示すると共に前記メッセージ情報を前記撮像画像に挿入重畳するタイトル付加制御手段と、
スケジュール表示モードで、前記情報格納手段から前記スケジュール情報を読み出して、スケジュール表として前記表示手段に表示するスケジュール表示手段と
を有することを特徴とする撮像装置。
【発明の詳細な説明】
【０００１】
【発明の属する技術分野】
本発明は、ビデオカメラとＶＴＲが一体化されたビデオムービ型のビデオカメラ装置に関する。
【０００２】
【従来の技術】
ビデオカメラとＶＴＲが一体化されたビデオムービ型のビデオカメラ装置は、小型で撮像品質の優れた機種が、次々と開発提案されており、広く使用されるようになっている。
この種のビデオカメラ装置では、ユーザの使用に便利な各種の機能が設けられているが、その一つに撮像画面にタイトルを挿入する機能がある。
このために、従来のビデオカメラ装置には、各種のタイトルが格納されたメモリーが設けられており、ユーザがこのメモリーからタイトルを読み出して、電子式ビューファインダ（ＥＶＦ）に次々と表示し、目的のタイトルを探し出して、カメラ部からの撮像信号に挿入重畳して記録するようにしている。
【０００３】
【発明が解決しようとする課題】
しかし、前述の従来のビデオカメラ装置では、メモリーに格納されている多数のタイトルを一定の順序で検索して目的のタイトルを探す必要があり、撮像画像にそぐわないタイトルを数多く送って、目的のタイトルにやっと達するということもあり、タイトルの挿入までに時間がかかることがあった。
【０００４】
本発明は、前述したようなこの種のビデオカメラ装置のタイトルの付加の現状に鑑みてなされたものであり、その目的は、ビデオカメラ装置の携帯者のスケジュール情報に基づいて、自動的に最適なタイトルの付加を行なうことが可能なビデオカメラ装置を提供することにある。
【０００５】
【課題を解決しようとする手段】
前記目的を達成するために、請求項１記載の発明は、撮像手段により撮像される被写体の撮像画像の記録と再生とを行い、前記被写体の撮像画像が、表示手段に表示される撮像装置において、スケジュール入力モードで、時間情報及びタイトルとしての使用の可否情報が含まれている識別情報とメッセージ情報からなるスケジュール情報が入力される情報入力手段と、該情報入力手段により入力されるスケジュール情報が格納される情報格納手段と、タイトル作成モードで、前記情報格納手段から、前記識別情報に含まれている時間情報及びタイトルとしての使用の可否情報に基づき、前記撮像画像のタイトルとなるメッセージ情報を検索するタイトル検索手段と、該タイトル検索手段が検索したメッセージ情報を、前記撮像画像とともに前記表示手段に表示すると共に前記メッセージ情報を前記撮像画像に挿入重畳するタイトル付加制御手段と、スケジュール表示モードで、前記情報格納手段から前記スケジュール情報を読み出して、スケジュール表として前記表示手段に表示するスケジュール表示手段とを有するものである。
【０００６】
【発明の実施の形態】
以下に、本発明の一実施の形態を図１及び図２を参照して説明する。
図１は本実施の形態の構成を示すブロック図、図２は図１の表示情報メモリに格納される情報の一例を示す説明図である。
【０００７】
本実施の形態では、図１に示すように、被写体の撮影を行なうカメラ部１に、被写体の光像が結像され、対応するカメラ信号Ｆ１を出力するＣＣＤ２が接続され、ＣＣＤ２には、カメラ信号にＡＧＣ、色分離、エンハンス、コアリング、ガンマ補正、ホワイトバランス、ＡＤ変換などの信号処理を施して画像信号Ｆ２として出力するすカメラ信号処理回路３が接続されている。このカメラ信号処理回路３の出力端子には、画像信号Ｆ２にタイトル信号Ｆ５を挿入重畳する第１のミクス回路５の一方の入力端子が接続され、ミクス回路５の出力端子には、ミクス回路５の出力信号に、ＭＰＥＧなどの圧縮処理と記録変調処理とを施し、記録動作を行なう記録回路６が接続され、記録回路６の出力信号がＶＴ（ビデオテープ）７に記録されるように構成されている。
【０００８】
また、ＶＴ７に対して再生動作を行なう再生回路１７が設けられ、再生回路１７の出力端子は、スイッチ１９の切換端子ｔ１に接続され、スイッチ１９のコモン端子ｔｃは、タイトル信号Ｆ５を挿入重畳する第２のミクス回路１８の一方の入力端子に接続され、第１のミクス回路５の他方の入力端子と、第２のミクス回路１８の他方の入力端子は、互いに接続されている。そして、スイッチ１９の切換端子ｔ２は、第１のミクス回路５の一方の入力端子に接続され、ミクス回路１８の出力端子が、画像信号の表示を行なう表示器２０に接続されている。
【０００９】
ところで、本実施の形態には、全体の動作を制御するマイクロプロセッサ１３が設けられ、識別情報とスケジュール情報とのデータの入力を行なうキーボード１１、モードの設定とスクローリングを行なう操作ボード１２、スケジュール情報が格納される表示情報メモリ１４、及び日時・時刻情報を供給する時計回路１６が、マイクロプロセッサ１３に接続されている。
【００１０】
同様に、マイクロプロセッサ１３には、カメラ部１のフォーカシング動作を行なうフォーカスモータ１０、カメラ信号処理回路３、記録回路６、再生回路１７、及びタイトル信号Ｆ５の出力を制御するオンスクリーンディスプレイ回路１５が接続され、フォーカスモータ１０にはカメラ部１が接続され、オンスクリーンディスプレイ回路１５には、第１のミクス回路５と第２のミクス回路１８の他方の入力端子が接続されている。
そして、マイクロプロセッサ１３には、スイッチ２４を介して、ＤＶカセットのカセットメモリ８が接続されている。
【００１１】
このような構成の本実施の形態の動作を説明する。
本実施の形態では、タイトル信号がＶＴ７に、画像信号に挿入重畳されて記録される挿入記録方式と、タイトル信号がＤＶカセットのカセットメモリ８に別途分離して記録される分離記録方式の何れかを選択して動作が行なわれる。
【００１２】
［挿入記録方式での動作］
先ず、カセットメモリ８を使用せず、タイトル信号Ｆ５を、画像信号Ｆ２に挿入重畳してＶＴ７に記録する挿入記録モードでの動作を説明する。
この場合には、操作ボード１２の挿入記録方式設定釦１２ｇがＯＮ操作され、マイクロプロセッサ１３により、スイッチ２４がＯＦＦに切り換えられ、挿入記録方式が設定される。
【００１３】
［スケジュール入力モード］
本実施の形態を携帯使用するユーザは、予めキーボード１１のスケジュール入力モード設定釦１２ａを操作することにより、スケジュール入力モードを設定した後に、キーボード１１を操作することにより、識別情報を付加したスケジュール情報の書込を行なう。
図２は、日付・時刻情報とタイトル使用の可否情報からなる識別情報２１とメッセージ情報２４とで構成されるスケジュール情報２２の一例を示すもので、本実施の形態を携帯して海外旅行をするユーザが、キーボート１１を操作して、このようなスケジュール情報２２の書込を行なうと、マイクロプロセッサ１３の制御によって、書込まれたスケジュール情報２２は、表示情報メモリ１４に格納される。
【００１４】
［タイトル作成モード］
撮像画像にタイトルを付加するタイトル作成モードでの撮像を行なう場合には、ユーザは操作ボード１２のタイトル作成モード設定釦１２ｃを操作した状態で被写体の撮像を行なう。
撮像動作時には、スイッチ１９は、切換端子ｔ２側に切り換えられ、マイクロプロセッサ１３の指令により、フォーカスモータ１０が作動し、カメラ部１で被写体の光像がＣＣＤ２の受光面に結像され、ＣＣＤ２からは光電変換された被写体のカメラ信号Ｆ１が出力され、このカメラ信号Ｆ１はカメラ信号処理回路３に入力される。
【００１５】
そして、マイクロプロセッサ１３の指令によって、カメラ信号処理回路３において、カメラ信号Ｆ１に対して、ＡＧＣ、色分離、エンハンス、コアリング、ガンマ補正、ホワイトバランス、ＡＤ変換などの信号処理が施され、カメラ信号処理回路３からは、これらの信号処理が施された被写体の画像信号Ｆ２が出力される。
そして、撮像動作時には、カメラ信号処理回路３から出力される被写体の画像信号Ｆ２が、スイッチ１９を介して、ミクス回路１８の一方の入力端子に入力される。
【００１６】
一方、マイクロプロセッサ１３によって、時計回路１６から取込まれる日付・時刻データに基づき、キーボード１１から入力されたタイトルとしての使用可の情報を含み、日付・時刻データに最も近い日付・時刻情報を含むスケジュール情報２２のメッセージ情報２４が、表示情報メモリ１４に格納されているスケジュール情報２から検索される。
例えば、時計回路１６から「１９９８年１月１日８時５５分」の日付・時刻情報が取込まれると、マイクロプロセッサ１３は、表示情報メモリ１４から、タイトルとしての使用可の情報を含み、日付・時刻情報が「１９９８年１月１日９時」で、時計回路１６の日付・時刻情報に最も近いメッセージ情報「成田空港」がタイトルとして検索される。
【００１７】
そして、マイクロプロセッサ１３の指令によって、ミクス回路１８において、カメラ信号処理回路３からの画像信号Ｆ２に、オンスクリーンディスプレイ回路１５から出力されるタイトル信号Ｆ５が挿入重畳され、表示器２０にはタイトル信号Ｆ５が挿入重畳された画像信号Ｆ２が表示される。
同様にマイクロプロセッサ１３の指令によって、ミクス回路５において、カメラ信号処理回路３から出力される画像信号Ｆ２に、オンスクリーンディスプレイ回路１５から出力されるタイトル信号Ｆ５が挿入重畳され、タイトル信号Ｆ５が挿入重畳された画像信号Ｆ２がミクス回路５から出力されて記録回路６に入力される。
記録回路６では、ミクス回路５の出力信号に対して、ＭＰＥＧ−２などの画像信号圧縮と、ＶＴ７への記録の変調処理とが施され、記録回路６によつて、ＶＴ７にタイトルが付加された画像信号が記録される。
【００１８】
再生動作時には、ユーザが操作ボード１２の再生モード設定釦１２ｈをＯＮ操作すると、マイクロプロセッサ１３の指令によつて、スイッチ１９が切換端子ｔ１側に切り換えられ再生動作が開始される。
この場合には、再生回路１７によって、ＶＴ７からタイトル信号Ｆ５が挿入重畳された画像信号Ｆ２が再生され、再生信号の信号伸張処理が行なわれ、信号伸張処理が施された再生信号が、スイッチ１９及びミクス回路１８を介して、表示器２０に入力され、表示器２０にタイトルが付加された画像信号が表示される。
【００１９】
［スケジュール表示モード］
本実施の形態によって、スケジュール情報の表示を行なう場合には、ユーザが、操作ボード１２のスケジュール表示モード設定釦１２ｂをＯＮ操作すると、マイクロプロセッサ１３の指令によって、表示情報メモリ１４から格納されているスケジュール情報２２が読み出され、オンスクリーンディスプレイ回路１５によって、読み出されたスケジュール情報２２が、ミクス回路１８を介して、表示器２０に供給され、表示器２０に、例えば図２に示されるようなスケジュール情報２２が表示される。
この場合、全てのスケジュール情報２２が、一画面に表示できない時は、操作ボード１２のスクロール釦１２ｅをＯＮ操作することにより、行を一つずつ進めて後部のスケジュール情報２２の表示を行なうことが可能であり、スクロール釦１２ｄをＯＮ操作することにより、行を一つずつ遡って前部のスケジュール情報２２の表示を行なうことも可能である。
【００２０】
［分離記録方式での動作］
次に、カセットメモリ８を使用し、タイトルデータＦ６を、画像信号Ｆ２とは別に、カセットメモリ８に記録する分離記録方式での動作を説明する。
この場合には、操作ボード１２の分離記録方式設定釦１２ｆがＯＮ操作され、マイクロプロセッサ１３によって、分離記録モードが設定され、スイッチ２４がＯＮに切り換えられる。
【００２１】
この分離記録方式での動作時のスケジュールの入力動作と、スケジュールの表示動作とは、すでに説明した挿入記録方式でのスケジュール入力モード及びスケジュール表示モードの動作と同一なので、重複する説明は行なわない。
【００２２】
［タイトル作成モード］
撮像画像にタイトルを付加するタイトル作成モードでの撮像を行なう場合には、ユーザは操作ボード１２のタイトル作成モード設定釦１２ｃを操作した状態で被写体の撮像を行なう。
撮像動作時には、スイッチ１９は、切換端子ｔ２側に切り換えられ、挿入記録モードの場合と同様に、マイクロプロセッサ１３の指令により、フォーカスモータ１０が作動し、カメラ部１で被写体の光像がＣＣＤ２の受光面に結像され、ＣＣＤ２からは光電変換された被写体のカメラ信号Ｆ１が出力され、カメラ信号Ｆ１はカメラ信号処理回路３に入力される。
そして、マイクロプロセッサ１３の指令によって、カメラ信号処理回路３において、カメラ信号Ｆ１に対して、ＡＧＣ、色分離、エンハンス、コアリング、ガンマ補正、ホワイトバランス、ＡＤ変換などの信号処理が施され、カメラ信号処理回路３からは、これらの信号処理が施された被写体の画像信号Ｆ２が出力される。
【００２３】
そして、撮像動作時には、カメラ信号処理回路３から出力される被写体の画像信号Ｆ２が、ミクス回路５の一方の入力端子に入力され、ミクス回路５を介して記録回路６に入力され、記録回路６では、ミクス回路５の出力信号に対して、ＭＰＥＧ−２などの画像信号圧縮と、ＶＴ７への記録の変調処理とが施され、記録回路６によつて、ＶＴ７に画像信号Ｆ２の記録が行なわれる。
また、この撮像動作時には、カメラ信号処理回路３からの画像信号Ｆ２は、スイッチ１９及びミクス回路１８を介して表示器２０に入力され、表示器２０には画像信号Ｆ２が表示される。
【００２４】
一方、マイクロプロセッサ１３によって、時計回路１６から取込まれる日付・時刻データに基づき、キーボード１１から入力されたタイトルとしての使用可の情報を含み、日付・時刻データに最も近い日付・時刻情報を含むスケジュール情報２２のメッセージ情報２４が、表示情報メモリ１４に格納されているスケジュール情報２から検索される。
簡単のために、挿入記録モードの場合と同様な場合を説明すると、時計回路１６からの「１９９８年１月１日８時５５分」の日付・時刻情報に最も近く、タイトルとしての使用可の情報を含んだメッセージ情報として、「成田空港」がタイトルとして検索される。
【００２５】
そして、マイクロプロセッサ１３の指令によって、カメラ信号処理回路３から出力される画像信号Ｆ２の記録回路６によるＶＴ７への記録に対応して、検索されたタイトルデータ信号Ｆ６が、ＶＴ７のトラックアドレスに対応付けてカセットメモリ８に格納される。
【００２６】
再生動作時には、ユーザが操作ボード１２の再生モード設定釦１２ｈをＯＮ操作すると、マイクロプロセッサ１３の指令によつて、スイッチ１９が切換端子ｔ１側に切り換えられ再生動作が開始される。
この場合には、再生回路１７によって、ＶＴ７から画像信号Ｆ２が再生され、再生信号の信号伸張処理が行なわれ、信号伸張処理が施された再生信号が、スイッチ１９を介して、ミクス回路１８の一方の入力端子に入力される。
同時に、マイクロプロセッサ１３の指令によって、再生信号のトラックアドレスに対応するタイトルデータＦ６が、カセットメモリ８から読み出され、読み出されたタイトルデータＦ６が、マイクロプロセッサ１３を介してオンスクリーンディスプレイ回路１５によってタイトル信号Ｆ５となって、ミクス回路１８の他方の入力端子に供給され、ミクス回路１８によって、画像信号Ｆ２にタイトル信号Ｆ５が挿入重畳されて表示器２０に入力され、表示器２０には、タイトルが付加された画像信号が表示される。
【００２７】
以上に説明したように、本実施の形態によると、操作ボード１２からスケジュール入力モードを設定して、キーボード１１を操作することにより、日付・時刻情報とタイトルとしての使用の可否情報からなる識別情報２１と、対応するメッセージ情報２４とで構成されるスケジュール情報２２を入力すると、入力されるスケジュール情報は、表示情報メモリ１４に格納される。
そして、撮像動作時には、操作ボード１２から、タイトル作成モードが設定されていると、時計回路１６から取込まれる日付・時刻データに基づいて、タイトルとしての使用可の情報を有し、時計回路１６からの日付・時刻データに最も近い日付・時刻情報のメッセージ情報２４が、表示情報メモリ１４からタイトルとして検索され、表示器２０に表示される被写体の画像には、検索されたタイトルが付加される。
また、操作ボード１２でスケジュール表示モードを設定すると、キーボード１１から書込んだスケジュール情報が、そのまま表示器２０にスケジュール表として表示される。
【００２８】
このために、本実施の形態によると、スケジュール情報からの撮像画像のタイトルの検索と、撮像画像へのタイトルとしての挿入重畳とが自動的に行なわれ、適切なタイトルが重畳された撮像画像を、自動的に表示することが可能になると共に、スケジュール情報をそのままスケジュール表として表示器２０に表示して利用することが可能になる。
【００２９】
以上の実施の形態では、識別情報として、日付・時刻情報と、タイトルとしての使用可否情報とを使用する場合を説明したが、本発明は、この実施の形態に限定されるものではなく、例えば、国名、地名、イベント名などを符号化して、識別情報として使用し、タイトルの検索時にキーボードから入力される該符号に対応する指定信号によって、目的の識別情報に対応するメッセージ情報をタイトルとして検索使用することも可能である。
【００３０】
【発明の効果】
請求項１記載の発明によると、被写体の撮像画像の録画と再生とが行なわれ、表示手段に被写体の撮像画像が表示されるが、スケジュール入力モードでは、情報入力手段によって、識別情報とメッセージ情報からなるスケジュール情報の入力が行なわれると、入力されたスケジュール情報は情報格納手段に格納され、タイトル作成モードでは、タイトル検索手段により、識別情報に基づき、情報格納手段から撮像画像のタイトルとなるメッセージ情報が検索され、検索されたメッセージ情報が、タイトル付加制御手段によって、撮像画像にタイトルとして挿入重畳されて表示手段に表示されるので、スケジュール情報からの撮像画像のタイトルの検索と、撮像画像へのタイトルとしての挿入重畳とが自動的に行なわれ、適切なタイトルが重畳された撮像画像を、自動的に表示することが可能になる。さらに、スケジュール表示モードでは、スケジュール表示手段により、情報格納手段からスケジュール情報が読み出され、スケジュール表として表示手段に表示されるので、スケジュール情報を、スケジュール表として利用することが可能になる。
【００３１】
請求項２記載の発明によると、請求項１記載の発明で得られる効果に加えて、識別情報に含まれる日付・時刻情報に基づいて、タイトル検索手段によって、情報格納手段からタイトルとなるスケジュール情報が検索され、タイトルとして使用されるので、旅行などの予定時間が定まっている場合に、より適確で具体的なタイトル表示を行なうことが可能になる。
【００３２】
請求項３記載の発明によると、請求項１記載の発明で得られる効果に加えて、識別情報にタイトルとしての使用の可否情報が含まれているので、情報入力手段からタイトル表示に利用しないスケジュール情報を入力して、表示手段にスケジュール表として表示させて利用することが可能になる。
【図面の簡単な説明】
【図１】本発明の一実施の形態の構成を示すブロック図である。
【図２】図１の表示情報メモリに格納される情報の一例を示す説明図である。
【符号の説明】
２…ＣＣＤ、３…カメラ信号処理回路、５…ミクス回路、６…記録回路、７…ＶＴ、８…カセットメモリ、１１…キーボード、１２…操作ボード、１３…マイクロプロセッサ、１４…表示情報メモリ、１５…オンスクリーンディスプレイ回路、１６…時計回路、１７…再生回路、１８…ミクス回路、２０…表示器。
【図１】
0003978872.tif 000002
【図２】
0003978872.tif 000003